(57)【特許請求の範囲】
【請求項１】
複数のコンタクトと、前記各コンタクトを保持するインシュレータと、前記インシュレータにおける前記各コンタクトのピッチ方向の両側に取り付けられるホールドダウンとから構成される基板実装用コネクタにおいて、
前記インシュレータは、相手側コネクタと嵌合離脱する嵌合部を有し、
前記ホールドダウンは、２個であって、いずれも、基板に固定される一対の接合部と、前記各接合部を連結する連結部とを有し、前記各連結部は、略コ字形状に形成され、
前記インシュレータの各嵌合部側壁の少なくとも一部に段差部が形成され、前記各ホールドダウンの連結部が前記各段差部に配設されることにより、前記各連結部が前記各嵌合部側壁に圧入され、かつ、前記各嵌合部側壁を被覆することを特徴とする基板実装用コネクタ。
【請求項２】
前記各ホールドダウンは、略Ｌ字形状に形成される前記各接合部と、前記連結部とから対称に構成されることを特徴とする請求項１記載の基板実装用コネクタ。
【発明の詳細な説明】
【０００１】
【発明の属する技術分野】
本発明は、基板と基板、又は基板とＦＰＣ（Ｆｌｅｘｉｂｌｅ  Ｐｒｉｎｔｅｄ  Ｃｉｒｃｕｉｔ）を接続する基板実装用コネクタに関する。
【０００２】
なお、本書では、プリント基板を基板と呼称する。
【０００３】
【従来の技術】
まず、従来の第１の基板実装用コネクタについて図３を参照して説明する。
【０００４】
図３（ａ）は、コネクタが嵌合した状態の斜視図である。プラグ側コネクタ２１は、図３（ｃ）に示されるように、合成樹脂の成形部材であるインシュレータ２２と、インシュレータ２２の長手方向の両側に左右一対として取り付けられた多数のプラグ側コンタクト２３とから構成される。レセプタクル側コネクタ３１は、図３（ｄ）に示されるように、合成樹脂の成形部材であるインシュレータ３２と、インシュレータ３２の長手方向の両側に左右一対として取り付けられた多数のレセプタクル側コンタクト３３とから構成される。インシュレータ３２は、枠形状の直方体に構成される。
【０００５】
プラグ側コネクタ２１をレセプタクル側コネクタ３１におけるインシュレータ３２の中空部３２Ａに挿入すると、図３（ａ）の状態に至り、コネクタは嵌合する。この状態では、図３（ｂ）に示されるように、プラグ側コネクタ２１の各プラグ側コンタクト２３とレセプタクル側コネクタ３１の各レセプタクル側コンタクト３３とは、接続する。なお、プラグ側コネクタ２１は基板４１に固定され、レセプタクル側コネクタ３１は基板４２に固定され、各レセプタクル側コンタクト３３は基板４２の表面に形成された各接点部４２Ａに接続する。
【０００６】
なお、この種のコネクタを基板に固定するために、レセプタクル側コネクタのインシュレータの４隅にホールドダウンを取り付けることは、一般的に行われている。
【０００７】
次に、従来の第２の基板実装用コネクタについて図４を参照して説明する。このコネクタは、特開平９−１３９２４２号公報に記載されている。
【０００８】
図４（ａ）に示されるように、レセプタクル側コネクタ５１のインシュレータ５２の長手方向の両側には、多数のレセプタクル側コンタクト５３が左右一対として取り付けられている。インシュレータ５２の長手方向の各端付近には、スリット５２Ａが形成され、各スリット５２Ａに補強金具５４が圧入されている。
【０００９】
補強金具５４は、図４（ｂ）に示されるように、両側の略Ｌ字形状の接合部５４Ａと、両接合部５４Ａ，５４Ａを連結する連結部５４Ｂと、連結部５４Ｂから突出するバルジ部５４Ｃとから構成される。
【００１０】
インシュレータ５２から突出する各レセプタクル側コンタクト５３と補強金具５４の接合部５４Ａの各長さは、図４（ａ）に一点鎖線で示されるように、揃っている。したがって、インシュレータ５２の４隅に位置する各接合部５４Ａの存在により、各レセプタクル側コンタクト５３が不慮の衝突等に基因して損傷をこうむることを防止できる。
【００１１】
【発明が解決しようとする課題】
前記従来の第１及び第２の各基板実装用コネクタでは、プラグ側コネクタとレセプタクル側コネクタとが嵌合するとき、又はそれ以外のときに、インシュレータが損傷する支障が生じることがある。また、インシュレータの強度が低い。
【００１２】
そこで、本発明は、前記従来の各基板実装用コネクタの欠点を改良し、インシュレータの材質を変更することなく、強度を向上することができる基板実装用コネクタを提供しようとするものである。
【００１３】
【課題を解決するための手段】
本発明は、前記課題を解決するため、次の手段を採用する。
【００１４】
１．複数のコンタクトと、前記各コンタクトを保持するインシュレータと、前記インシュレータにおける前記各コンタクトのピッチ方向の両側に取り付けられるホールドダウンとから構成される基板実装用コネクタにおいて、前記インシュレータは、相手側コネクタと嵌合離脱する嵌合部を有し、前記ホールドダウンは、２個であって、いずれも、基板に固定される一対の接合部と、前記各接合部を連結する連結部とを有し、前記各連結部は、略コ字形状に形成され、前記インシュレータの各嵌合部側壁の少なくとも一部に段差部が形成され、前記各ホールドダウンの連結部が前記各段差部に配設されることにより、前記各連結部が前記各嵌合部側壁に圧入され、かつ、前記各嵌合部側壁を被覆する基板実装用コネクタ。
【００１５】
２．前記各ホールドダウンは、略Ｌ字形状に形成される前記各接合部と、前記連結部とから対称に構成される前記１記載の基板実装用コネクタ。
【００１６】
【発明の実施の形態】
本発明の一実施の形態例の基板実装用コネクタについて図１と図２を参照して説明する。
【００１７】
図１（ａ）は、コネクタが嵌合した状態の斜視図である。プラグ側コネクタ１は、図１（ｂ）に示されるように、合成樹脂の成形部材であるインシュレータ２と、インシュレータ２の長手方向の両側に左右一対として取り付けられた多数のプラグ側コンタクト３とから構成される。レセプタクル側コネクタ１１は、図１（ｃ）に示されるように、合成樹脂の成形部材であるインシュレータ１２と、インシュレータ１２の長手方向の両側に左右一対として取り付けられた多数のレセプタクル側コンタクト１３とから構成される。インシュレータ１２は、枠形状の直方体に構成される。
【００１８】
レセプタクル側コネクタ１１について図２を参照して更に詳細に説明する。図２（ａ）に示されるように、インシュレータ１２の嵌合部１２Ａの左右両側に形成された嵌合部側壁１２Ｂの外側には、それぞれ金属製のホールドダウン１４が圧入されている。
【００１９】
ホールドダウン１４は、図２（ａ）〜（ｃ）に示されるように、両端側の略Ｌ字形状の接合部１４Ａと、両接合部１４Ａ，１４Ａを連結する略コ字形状の連結部１４Ｂとから対称形状に構成される。
【００２０】
図２（ｄ）に示されるように、インシュレータ１２の嵌合部側壁１２Ｂの厚さをＡ、側壁１２Ｃの厚さをＢ、ホールドダウン１４の連結部１４Ｂの厚さをＣとする。また、嵌合部側壁１２Ｂの外側には、段差Ｌを有する段差部１２Ｄが形成される。すると、ホールドダウン１４の連結部１４Ｂがインシュレータ１２の段差部１２Ｄに装着されると、ＡとＣとの和はＢにほぼ等しくなる。段差部１２Ｄは、嵌合部側壁１２Ｂの外側の一部又は全部に形成される。
【００２１】
本実施の形態例においては、ホールドダウンをレセプタクル側コネクタに設けるが、プラグ側コネクタに設けるように設計変更することができる。
【００２２】
【発明の効果】
以上の説明から明らかなように、本発明によれば、次の効果を奏することができる。
【００２３】
１．インシュレータの材質を変更することなく、強度を向上できる。
【００２４】
２．インシュレータの側壁を薄く形成できるので、コネクタの小型化に役立つ。
【００２５】
３．コネクタの嵌合時のこじりに対して、インシュレータは変形し難い。
【００２６】
４．ホールドダウンが、一対の接合部と両接合部を連結する連結部とから構成されるので、ホールドダウンのインシュレータに対する位置精度が向上する。
【００２７】
５．コネクタと基板との電気的接続が、確実になる。
【図面の簡単な説明】
【図１】本発明の一実施の形態例の基板実装用コネクタの斜視図であり、（ａ）はプラグ側コネクタとレセプタクル側コネクタとの嵌合状態、（ｂ）はプラグ側コネクタ、（ｃ）はレセプタクル側コネクタを、それぞれ示す。
【図２】同レセプタクル側コネクタの諸図であり、（ａ）は平面図、（ｂ）は正面図、（ｃ）は側面図、（ｄ）は（ａ）における線Ａ−Ａによる右半分の断面図を、それぞれ示す。
【図３】従来の第１の基板実装用コネクタの諸図であり、（ａ）はプラグ側コネクタとレセプタクル側コネクタとの嵌合状態の斜視図、（ｂ）は実装された状態の基板実装用コネクタの断面図、（ｃ）はプラグ側コネクタの斜視図、（ｄ）はレセプタクル側コネクタの斜視図を、それぞれ示す。
【図４】従来の第２の基板実装用コネクタにおけるレセプタクル側コネクタの斜視図であり、（ａ）は要部、（ｂ）は補強金具を、それぞれ示す。
【符号の説明】
１    プラグ側コネクタ
２    インシュレータ
３    プラグ側コンタクト
１１    レセプタクル側コネクタ
１２    インシュレータ
１２Ａ    嵌合部
１２Ｂ    嵌合部側壁
１２Ｃ    側壁
１２Ｄ    段差部
１３    レセプタクル側コンタクト
１４    ホールドダウン
１４Ａ    接合部
１４Ｂ    連結部
【図１】
0003595936.tif 000002
【図２】
0003595936.tif 000003
【図３】
0003595936.tif 000004
【図４】
0003595936.tif 000005